(57)【特許請求の範囲】
【請求項１】
銃に装着して用いられる緩衝材であって、
所要長さ、幅、厚さを有する緩衝材本体の下面に固定物に当接させる当接面を備え、かつ、上面に銃へ接合するための接合面を備えて構成され、該接合面に接着層が備えられていることを特徴とする銃装着用緩衝材。
【請求項２】
前記銃装着用緩衝材において、
前記緩衝材本体の長さ方向における一方の端部に、下方へ突出した突片を設けることで、側面視が略Ｌ字形となっていることを特徴とする請求項１に記載の銃装着用緩衝材。
【請求項３】
前記銃装着用緩衝材において、
前記突片が、前記緩衝材本体に対し折り畳み可能であることを特徴とする請求項２に記載の銃装着用緩衝材。
【請求項４】
前記銃装着用緩衝材において、
前記緩衝材本体における固定物との当接箇所に、すべり止め加工が施されていることを特徴とする請求項１から請求項３のいずれかに記載の銃装着用緩衝材。
【請求項５】
前記銃装着用緩衝材において、
前記接合面に、銃に備わるピカニティレールと係合可能な係合片が設けられていることを特徴とする請求項１から請求項４のいずれかに記載の銃装着用緩衝材。
【発明の詳細な説明】
【技術分野】
【０００１】
本発明は、銃に装着して用いられる緩衝材に関し、詳しくは、射撃時に銃の一部を固定物に載置して構えた際の銃と固定物との緩衝材に関するものである。
【背景技術】
【０００２】
銃には、ピストルに代表されるような片手で持って携帯できる拳銃や、ライフル銃とも呼ばれる長い銃身を備えた小銃、マシンガンと呼ばれる連射目的の機関銃、遊戯用として親しまれているモデルガン・エアガンなど、多種多様のものが存在している。これらの銃を使用して射撃を行う際は、着弾目標を狙って銃を構え、引き金を引いて射撃する操作態様が採られる。
【０００３】
かかる射撃の際に問題となるのは、射撃姿勢を安定化させるということである。この射撃姿勢が不安定であると、目標に対して狙い通りの射撃をすることができない。そこで実際の現場では、固定物に銃身など銃の一部を当接させることで、射撃姿勢を安定させると共に、目標に対する銃のブレを抑えることが行われている。しかしながら、固定物に銃を当接させた状態で射撃を行うと、射撃の衝撃が固定物で緩衝されることなく狙撃手に全て伝わることとなって、狙撃手の負担増加と疲労増大を招くと共に、その衝撃によって銃や固定物に傷がつくことにもなって、銃の故障や固定物の破損の原因となってしまうという問題があった。
【０００４】
また射撃の際に、狙撃手は自らの被弾を避けるべく、固定物の物陰に隠れるなどして待機することとなる。しかしながら、引き金を引く際には、固定物から身を露出させて目標に対し銃を構える必要があり、狙撃手の被弾率が高まる危険がある。したがって、被弾率を下げるためには、狙撃手の身の露出をできる限り最低限に抑える必要がある。
【先行技術文献】
【特許文献】
【０００５】
【特許文献１】特開２００８−５１３８７号公報
【特許文献２】特開２００５−２４２０９号公報
【特許文献３】特開２００４−１８４０２６号公報
【特許文献４】実開平２−１４０１９３号公報
【特許文献５】実開昭６３−１９０７９４号公報
【特許文献６】実開昭５７−１９５５９６号公報
【発明の概要】
【発明が解決しようとする課題】
【０００６】
本発明は、上記問題点に鑑み、銃に装着することで、狙撃手が銃を構える際の射撃姿勢の安定化を図れると共に、射撃時の疲労負担の軽減に資し、さらには、固定物からの身体露出を最低限に抑えることが可能な緩衝材を提供することを課題とするものである。
【課題を解決するための手段】
【０００７】
上記課題を解決するため、請求項１記載の発明は、銃に装着して用いられる緩衝材であって、所要長さ、幅、厚さを有する緩衝材本体の下面に固定物に当接させる当接面を備え、かつ、上面に銃へ接合するための接合面を備えて構成され、該接合面に接着層が備えられた構成となっている。
【０００８】
また、請求項２記載の発明は、前記緩衝材本体の長さ方向における一方の端部に、下方へ突出した突片を設けることで、側面視が略Ｌ字形となっている構成となっている。
【０００９】
さらに、請求項３記載の発明は、前記突片が、前記緩衝材本体に対し折り畳み可能である構成となっている。
【００１０】
またさらに、請求項４記載の発明は、前記緩衝材本体における固定物との当接箇所に、すべり止め加工が施されている構成となっている。
【００１２】
そしてまた、請求項５記載の発明は、前記接合面に、銃に備わるピカニティレールと係合可能な係合片が設けられている構成となっている。
【発明の効果】
【００１３】
本発明にかかる銃装着用緩衝材によれば、銃に装着されることで、該銃を固定物に対し安定的に載置することができるため、射撃時における狙撃手の射撃姿勢が安定化されることで、目標への狙いも確実に定まって、当該目標に対する着弾の確実性・命中率の向上に資するという優れた効果を奏する。
【００１４】
また、本発明にかかる銃装着用緩衝材によれば、緩衝材本体が弾性を有する合成樹脂製であるため緩衝作用に優れ、射撃の衝撃を吸収して狙撃手の疲労負担の軽減に資すると共に、衝撃による銃や固定物に傷がつくという問題も解消されるといった優れた効果を奏するものである。
【００１５】
さらに、本発明にかかる銃装着用緩衝材によれば、銃を固定物に載置した状態で狙撃手が限りなく当該固定物に近づくことが可能であるため、狙撃手の身体露出が最低限に抑えられるという優れた効果を奏する。
【００１６】
そしてまた、本発明にかかる銃装着用緩衝材によれば、例えば負傷等で片腕が使用できない状態であっても、銃を固定物に載置することで当該固定物を片腕の代わりとして用いて銃を構えることが可能であって、安定した射撃が可能となるといった優れた効果を奏する。
【図面の簡単な説明】
【００１７】
【図１】本発明にかかる銃装着用緩衝材の実施形態を示す斜視図である。
【図２】本発明にかかる銃装着用緩衝材の実施形態を示す断面図である。
【図３】本発明にかかる銃装着用緩衝材を装着した銃の使用態様を示す説明図である。
【発明を実施するための形態】
【００１８】
本発明の銃装着用緩衝材１は、銃Ｇに装着して用いられる緩衝材であって、緩衝材本体１０の下面に固定物Ｗに当接させる当接面１４を備え、かつ、上面に銃へ接合するための接合面１５を備えて構成されていることを最大の特徴とする。以下、本発明にかかる銃装着用緩衝材の実施形態を、図面に基づき説明する。
【００１９】
なお、本発明は、下記の実施例に示した構成・態様に限定されるものではなく、本発明の技術的思想の要旨に逸脱しない範囲で、任意に変更することができるものである。
【００２０】
図１及び図２は、本発明にかかる銃装着用緩衝材１の実施形態を示しており、図１は斜視図、図２は断面図である。
本発明にかかる銃装着用緩衝材１は、図面に示すように、所要長さ、幅、厚さを有する緩衝材本体１０から構成されている。かかる所要長さ、幅、厚さの具体的寸法については、銃に装着可能な大きさであれば、特に限定するものではない。該緩衝材本体１０の形状についても、特に限定はないが、基本的形状として、図１（ａ）に示すような略直方体から成る形状が考え得る。また、図１（ｂ）に示すように、緩衝材本体１０の長さ方向における一方の端部に、下方へ突出した突片１３を設けることで、側面視が略Ｌ字形となっている形状も可能である。さらに、図１（ｃ）に示すように、突片１３を折畳機構２０を介して内側に折り畳み可能として、略Ｌ字形を構成する突片１３が折り畳まれることによって、全体形状が略直方体となる構造とすることも可能である。また、図１（ｄ）に示すように、突片１３を折畳機構２０を介して外側に折り畳み可能として、略Ｌ字形を構成する突片１３が折り畳まれることによって、全体形状が略直方体となる構造とすることも可能である。
【００２１】
なお、折畳機構２０の構造については、突片１３を折り畳む機能を発揮するものであれば、特に限定はない。このとき、該折畳機構２０について、折り畳み角度を自由に若しくは多段階的に設定することが可能な構造を採用し得る。かかる構造を採用することにより、突片１３を所定の角度位置に設定・固定することが可能となり、樹木や円柱のような異形状の固定物Ｗに対する銃装着用緩衝材１の当接に際し利便性を発揮する。
【００２２】
前記緩衝材本体１０の材質については、緩衝作用を発揮させるという目的を達成可能であれば、特に限定するものではない。このとき、緩衝材本体１０の母体を金属製とし、その表面を発泡樹脂・ゴムなどの弾性を有する合成樹脂素材により被覆する態様が考え得る。あるいは、緩衝材本体１０全体を合成樹脂素材により成形する態様も考え得る。なお、緩衝材本体１０の色彩については、特に限定はなく、自由に設定することが可能である。
【００２３】
前記緩衝材本体１０の下面は、固定物Ｗが当接するための当接面１４となっている。該当接面１４には、固定物Ｗが当接した状態ですべり止め作用を発揮すべく、すべり止め加工Ｐが施されていることが望ましい。かかるすべり止め加工Ｐの具体的構造については、特に限定はないが、例えば図１（ａ）に示すように、当接面１４に複数の横溝を設ける構造態様が考え得る。また、図１（ｂ）に示すような、当接面１４に複数の凹凸を設ける構造態様も可能である。その他、製造段階にて当接面１４に砂状物を埋め込ませる構造態様も考え得る。なお、かかるすべり止め加工Ｐは、当接面１４だけでなく、緩衝材本体１０における固定物Ｗと当接する箇所の全てに施されることが望ましく、例えば略Ｌ字形を構成する突片１３の周縁にも該すべり止め加工Ｐが施されることが好ましい。
【００２４】
前記緩衝材本体１０の上面は、銃Ｇに接合されるための接合面１５となっている。該接合面１５を銃Ｇの銃身その他任意の箇所に当接させた状態で、本発明にかかる銃装着用緩衝材１は銃Ｇに接合されることとなる。かかる接合のための具体的態様については、接着により接合する態様を採用する。なお、該接合面１５は、銃Ｇの銃身に装着し易いように、銃身の形状に合わせて抉られた形状とすることも考え得る。
【００２５】
かかる接合態様について、図２（ａ）並びに図２（ｃ）に示すように、前記接合面１５に接着層１５ａが備えられている態様が採用される。かかる接着層１５ａは剥離テープにより被覆され、該剥離テープを剥がすことで接着層１５ａが露出し、その状態で銃Ｇの銃身その他任意の箇所に接着層１５ａの粘性によって、本発明にかかる銃装着用緩衝材１は銃Ｇに接合されることとなる。なお、該銃装着用緩衝材１の銃Ｇに対する接合位置については、場面に応じて任意に決定可能であって、例えば図２（ａ）は銃装着用緩衝材１が銃Ｇの下面に接合される場合、図２（ｃ）は銃装着用緩衝材１が銃Ｇの側面に接合される場合について例示している。
【００２６】
また、かかる接合態様について、図２（ｂ）並びに図２（ｄ）に示すように、前記接合面１５に係合片１５ｂを設ける態様が考え得る。該係合片１５ｂは、前記接着層１５ａと併せて設けられ、銃Ｇに備え付けられているピカニティレールＲと係合可能な構造となっており、該ピカニティレールＲに係合片１５ｂを係合させつつ接着層１５ａの粘性によって、本発明にかかる銃装着用緩衝材１は銃Ｇに接合されることとなる。なお、該銃装着用緩衝材１の銃Ｇに対する接合位置については、ピカニティレールＲがある箇所であれば任意に決定可能であって、例えば図２（ｂ）は銃装着用緩衝材１が銃Ｇの下面にあるピカニティレールＲに接合される場合、図２（ｄ）は銃装着用緩衝材１が銃Ｇの側面にあるピカニティレールＲに接合される場合について示している。
【００２７】
以上の通り構成される本発明にかかる銃装着用緩衝材１は、銃Ｇにおける任意の箇所に、接合面１５が当接する状態にて、接着により接合され装着されることとなるが、このとき銃Ｇの銃身に装着する態様が望ましい。かかる態様を採ることで、銃Ｇ全体の大きさ形状から本発明にかかる銃装着用緩衝材１が突出してはみ出すことがないため、使用に際して邪魔になることがなく、また、銃身を固定物Ｗ上に載置する態様となるため、狙撃手の射撃姿勢が安定するだけでなく、狙撃手の身体露出が最低限に抑えられ、さらには、銃身を安定化することで、目標を狙う際の安定性と当該目標に対する着弾の確実性・命中率の向上に資する。
【００２８】
図３は、本発明にかかる銃装着用緩衝材１を装着した銃Ｇの使用態様を示す説明図であり、図３（ａ）は狙撃手側から見た使用状態を示している。
図３（ａ）に示すように、本発明にかかる銃装着用緩衝材１を装着した銃Ｇを使用する場合、該銃装着用緩衝材１の当接面１４を固定物Ｗの上に載置した状態で、目標に狙いを定めたり、実際に引き金を引いて射撃を行うこととなる。場合によっては、この状態のまま何時間も待機することもあり得る。本発明を採用することで、銃装着用緩衝材１を軸として目標への狙いが確実に定まると共に、射撃姿勢も安定することとなり、さらには、射撃による衝撃を銃装着用緩衝材１が吸収して狙撃手の衝撃負担の軽減に資し、かつ、固定物Ｗへ載置することで、長時間の待機状態があったとしても、狙撃手の疲労軽減に資することとなる。
【００２９】
図３（ｂ）は、射撃目標側から見た使用状態を示している。
図３（ｂ）に示すように、本発明にかかる銃装着用緩衝材１を装着した銃Ｇを使用する場合、該銃Ｇを固定物Ｗに載置した状態で、狙撃手が限りなく当該固定物Ｗに近づくことで身を隠すことでき、身体露出が最低限に抑えられることとなって、敵からの発見や被弾の危険性を抑制することができる。
【産業上の利用可能性】
【００３０】
本発明は、銃Ｇに簡単に装着可能であると共に、装着することにより狙撃手の疲労負担軽減や射撃の命中率に資するものであり、さらには、銃Ｇ及び固定物Ｗの傷つき・破損・故障等を抑制することが可能となる。したがって、本発明にかかる銃装着用緩衝材１の産業上の利用可能性は大であると思料する。
【符号の説明】
【００３１】
１    銃装着用緩衝材
１０    緩衝材本体
１３    突片
１４    当接面
１５    接合面
１５ａ  接着層
１５ｂ  係合片
２０    回転機構
Ｇ    銃
Ｐ    すべり止め加工
Ｒ    ピカニティレール
Ｗ    固定物
【要約】      （修正有）【課題】銃に装着することで、狙撃手が銃を構える際の射撃姿勢の安定化を図れると共に、射撃時の疲労負担の軽減に資し、さらには、固定物からの身体露出を最低限に抑えることが可能な緩衝材の提供を図る。【解決手段】銃に装着して用いられる緩衝材１であって、所要長さ、幅、厚さを有する緩衝材本体１０の下面に固定物に当接させる当接面１４を備え、かつ、上面に銃へ接合するための接合面１５を備えた構成を採用する。【選択図】図１【図１】
0005420735.tif 000002
【図２】
0005420735.tif 000003
【図３】
0005420735.tif 000004